(57)【要約】      （修正有）【課題】建設用材料等として使用される二液性の液剤を、建設現場等においても簡単な作業により、迅速に生成することができる液剤混合装置を提供する。【解決手段】持ち運びが容易な大きさに形成された計量機本体１１に、混合液用容器４０を設置してその中に注入される液剤を計量するための計量部１４と、必要混合量及び必要混合比率を入力するための入力部１５と、混合量及び混合比率を表示するための表示部２０と、必要量に達したときに報知する報知部３０と、計量部１４及び入力部１５からのデータを受信しデータ処理を行い表示部２０の表示動作及び報知部３０の報知動作を制御する制御部３３とを設ける。【選択図】図１
0003119926.tif 000002
【実用新案登録請求の範囲】
【請求項１】
持ち運びが容易な大きさに形成された計量機本体に、混合液用容器を設置してその中に注入される液剤を計量するための計量部と、必要混合量及び必要混合比率を入力するための入力部と、混合量及び混合比率を表示するための表示部と、必要量に達したときに報知する報知部と、前記計量部及び入力部からのデータを受信しデータ処理を行い前記表示部の表示動作及び報知部の報知動作を制御する制御部とを設けたことを特徴とする液剤混合装置。
【請求項２】
前記入力部は、液剤混合を開始するためのスタートボタンと、必要とする混合液の重量及び必要とする混合比率のデータを入力するキー入力部と、前記混合液用容器の重量を前記制御部の制御のもとに相殺するためのオフセットボタンと、混合される第１液及び第２液の計量を切換えるための液選択ボタンとを有することを特徴とする請求項１記載の液剤混合装置。
【請求項３】
前記表示部は、前記入力部で入力される設定データを表示する設定データ表示部と、混合する第１液及び第２液の重量並びにそれぞれの重量を加算した混合重量を数値と視覚的に把握できるグラフとして表示する混合量表示部とを有することを特徴とする請求項１記載の液剤混合装置。
【考案の詳細な説明】
【技術分野】
【０００１】
本考案は、建設用材料等として使用される二液性の液剤を混合するための液剤混合装置に関するものである。
【背景技術】
【０００２】
従来、建設用等の塗装剤、接着剤、防水剤は、二液性の液剤を混合することにより使用されている。この種の二液混合装置として、二液を導入する混合機構内での、混合作業終了後の二液の混合を防止し、液の硬化等を防止するために、二液の混合機構に、第１液と第２液を導入する第１導入路と第２導入路とを接続し、この第１または第２の導入路の何れか一方と混合機構との接続口に、この接続口の開閉を制御する開閉弁機構を設けた技術が開示されている（例えば、特許文献１参照。）。
【特許文献１】特開２０００−２３７５６８号公報（第２〜５ページ、図１〜図６）。
【考案の開示】
【考案が解決しようとする課題】
【０００３】
しかしながら、上記の従来技術のような二液混合装置は、二液性の液剤を適切に生成することができるが、設備が大掛かりになり、特に建設現場において少量ずつ混合しながら使用することには適していない。すなわち、建設用等に多く使用されている塗装剤、接着剤、防水剤等の二液性の液剤は、硬化時間が短く使用できる時間が限られているため、現場において少量ずつ混合して使用しなければならない。また、液剤の計量あるいは混合といった作業は、採光の少ない建設中の屋内や夜間の暗い中で行われることが多く、かつ第１液と第２液の液量を定められた混合比率によって必要量を算出しながら混合作業を行う煩雑な作業を伴うことがあった。
【０００４】
本考案は上記事情に鑑みなされたもので、建設用材料等として使用される二液性の液剤を、建設現場等においても簡単な作業により、迅速に生成することができる液剤混合装置を提供することを目的とする。
【課題を解決するための手段】
【０００５】
上記目的を達成するために請求項１に記載の考案にあっては、持ち運びが容易な大きさに形成された計量機本体に、混合液用容器を設置してその中に注入される液剤を計量するための計量部と、必要混合量及び必要混合比率を入力するための入力部と、混合量及び混合比率を表示するための表示部と、必要量に達したときに報知する報知部と、前記計量部及び入力部からのデータを受信しデータ処理を行い前記表示部の表示動作及び報知部の報知動作を制御する制御部とを設けたことを特徴とするものである。建設用材料等として使用される二液性の液剤を、建設現場等においても簡単な作業により、迅速に生成することができる。
【０００６】
請求項２に記載の考案にあっては、前記入力部は、液剤混合を開始するためのスタートボタンと、必要とする混合液の重量及び必要とする混合比率のデータを入力するキー入力部と、前記混合液用容器の重量を前記制御部の制御のもとに相殺するためのオフセットボタンと、混合される第１液及び第２液の計量を切換えるための液選択ボタンとを有することを特徴とするものである。入力部のスタートボタンで液剤混合を開始し、キー入力部で必要とする混合液重量及び混合比率を入力でき、オフセットボタンで混合液用容器の重量を相殺でき、液選択ボタンで第１液及び第２液の計量を切換えることができる。
【０００７】
請求項３に記載の考案にあっては、前記表示部は、前記入力部で入力される設定データを表示する設定データ表示部と、混合する第１液及び第２液の重量並びにそれぞれの重量を加算した混合重量を数値と視覚的に把握できるグラフとして表示する混合量表示部とを有することを特徴とするものである。表示部の設定データ表示部で設定データを表示でき、混合量表示部で混合する第１液及び第２液の重量並びにそれぞれの重量を加算した混合重量を数値やグラフとして視覚的に把握できる。
【考案の効果】
【０００８】
本考案では、持ち運びが容易な大きさに形成された計量機本体に、混合液用容器を設置してその中に注入される液剤を計量するための計量部と、必要混合量及び必要混合比率を入力するための入力部と、混合量及び混合比率を表示するための表示部と、必要量に達したときに報知する報知部と、計量部及び入力部からのデータを受信しデータ処理を行い表示部の表示動作及び報知部の報知動作を制御する制御部とを設けたことで、建設用材料等として使用される二液性の液剤を、建設現場等においても簡単な作業により、迅速に生成することができる。
【考案を実施するための最良の形態】
【０００９】
以下、本考案を図示の一実施形態により具体的に説明する。図１〜図５は本考案実施形態の液剤混合装置を説明する図であり、図１は液剤混合装置の斜視図、図２は液剤混合装置の制御構成を説明するブロック図、図３は入力部を説明する図、図４は表示部を説明する図、図５は液剤混合装置の動作を説明するフローチャートである。
【００１０】
これらの図において、本実施形態の液剤混合装置１０は、液剤が注入されていない混合液用容器４０の重量を計量し、続いて、この空の混合液用容器４０へ第１液用容器４３に収納された第１液４１を所定量注入した後、第２液用容器４４に収納された第２液４２を所定量注入して、必要な比率の混合液を得るための装置で、計量機本体１１に各機器が設けられており、混合液用容器４０を設置しその中に注入される液剤を計量するための計量部１４と、必要混合量及び必要混合比率等を入力するための入力部１５と、混合量や混合比率等を表示するための表示部２０と、必要量に達したときに光や音声で終了を報知する報知部３０と、各部の制御を行うための制御部３３等とから構成されている。
【００１１】
計量機本体１１は、データ処理を行うためのコンピュータシステム等を収納しており、ほぼ矩形箱型で持ち運びが容易な大きさと重量に形成されている。この計量機本体１１は、その上面が水平な平坦面１２に形成され、この平坦面１２のほぼ中央部に混合液用容器４０を設置して計量することができる計量部１４が設けられ、平坦面１２に続く前側の操作側が傾斜面１３に形成され、この傾斜面１３にデータ入力のための入力部１５、データ表示のための表示部２０及び終了等を知らせるための報知部３０が設けられている。
【００１２】
計量部１４は、混合液用容器４０を設置できる形状に形成され、その混合液容器４０の重量及び内部に注入される液剤の重量を計量する部分であり、例えば、重量センサ等から構成されている。入力部１５は、傾斜面１３の一方側（左側）に設けられ、図３に示すように、液剤混合を開始するためのスタートボタン１６と、必要とする混合液の重量及び必要とする混合比率のデータを入力するキー入力部１７と、混合液用容器４０の重量を相殺するためのオフセットボタン１８と、混合される第１液及び第２液の計量を切換えるための液選択ボタン１９とを有する。
【００１３】
表示部２０は、傾斜面１３の他方側（右側）に設けられ、図４に示すように、上側に表示される設定データ表示部２１と、その下側に表示される混合量表示部２２とから構成されている。設定データ表示部２１は、容器重量表示部２３と、オフセット表示部２４と、必要混合量表示部２５と、必要混合量比率表示部２６とを有する。容器重量表示部２３は、計量部１４に液剤が注入されていない混合液用容器４０を設置したときの重量を表示するとともに、オフセットボタン１８を押したときに、オフセットデータである「０ｇ」を表示する部分である。オフセット表示部２４は、オフセットボタン１８の操作により混合液用容器４０の重量を相殺したことを表示する部分である。必要混合量表示部２５は、キー入力部１７で必要混合量として、例えば、「６００ｇ」を入力したとき、その必要混合量を表示する部分である。必要混合量比率表示部２６は、キー入力部１７で必要混合量比率として、例えば、第１液Ａと第２液Ｂとの重量比率としてＡ：Ｂを１：２としたときに、その必要混合量比率を表示する部分である。混合量表示部２２は、第１液、第２液の重量及びそれぞれの重量を加算した混合重量を数値や視覚的に把握できるグラフ等として表示する部分であり、第1液注入量表示部２７と、第２液注入量表示部２８と、混合量表示部２９とを有する。第1液注入量表示部２７は、必要な第１液Ａの重量をグラフ上に表示するとともに注入途中の重量を表示する部分である。第２液注入量表示部２８は、必要な第２液Ｂの重量をグラフ上に表示するとともに注入途中の重量を表示する部分である。混合量表示部２９は、必要な第１液Ａ及び第２液Ｂの合計重量をグラフ上に表示するとともに注入途中の重量を表示する部分である。また、これらの第1液注入量表示部２７、第２液注入量表示部２８、混合量表示部２９は、それぞれ必要量に達したことを表示するために表示色や表示形状を変化させる部分がある。例えば、図４においては、第1液注入量表示部２７には、第１液Ａが必要量に達したことを表示する表示部２７ａが表示され、第２液注入量表示部２８には、第２液Ｂが必要量に達していない途中の状態が表示され、混合量表示部２９には、第１液Ａ及び第２液Ｂの合計重量が必要量に達していない途中の状態が表示されている。
【００１４】
報知部３０は、例えば、入力部１５の近傍の傾斜面１３に設けられた、ランプ３１及びブザー３２であり、必要量に達したときに、ランプ３１による光の点滅、ブザー３２による音声で報知する部分である。なお、この報知部３０は、必要混合量に達したときに報知する他に、第１液が必要量に達したときに報知するようにしてもよく、報知の停止は、例えば、オフセットボタン１８や液選択ボタン１９の操作で行うことができる。
【００１５】
図２に示すように、制御部３３は、データ処理を行うためのコンピュータシステムの中央処理部を構成し、記憶部３４は、本実施形態のデータ処理のプログラムを格納したり、データ処理中における一時的なデータを記憶する部分である。制御部３３は、記憶部３４に格納されたプログラムに基づいて、計量部１４からの計量データ及び入力部１５からの入力データを受信してデータ処理を行い、記憶部３４に一時的なデータを記憶するとともに、表示部２０に表示させたり、報知部３０に報知させたりする動作を制御する部分である。
【００１６】
次に、上記構成の液剤混合装置１０の動作例を図５に示すフローチャートに基づいて具体的に説明する。まず、図１に示すように、液剤が注入されていない空の混合液用容器４０と、第１液４１が所定量収納された第１液用容器４３と、第２液４２が所定量収納された第２液用容器４４とを用意する。続いて、空の混合液用容器４０を計量部１４に設置してから、スタートボタン１６をオンする（ＳＴ１）と、記憶部３４に格納されたプログラムに基づいて制御部３３の制御のもとに動作が開始し、計量部１４により計量された空の混合液用容器４０の重量が表示部２０の容器重量表示部２３に表示される（ＳＴ２）。次に、オフセットボタン１８をオンすると（ＳＴ３）、混合液用容器４０の重量を相殺する処理が行われ、容器重量表示部２３にオフセットデータである「０ｇ」を表示し（ＳＴ４）、オフセット表示部２４に混合液用容器４０の重量を相殺したことを示す表示が行われる。続いて、キー入力部１７で必要混合量及び必要混合比率を入力する（ＳＴ５）と、必要混合量表示部２５に必要混合量として、例えば、６００ｇが表示され、必要混合量比率表示部２６に必要混合量比率として、例えば、第１液Ａと第２液Ｂとの重量比率１：２が表示され、同時に第1液注入量表示部２７に第１液Ａの必要量である２００ｇ、第２液注入量表示部２８に第２液Ｂの必要量４００ｇ、混合量表示部２９に第１液Ａ及び第２液Ｂを合計した必要量６００ｇが表示される（ＳＴ６）。次に、液選択ボタン１９をオンする（ＳＴ７）と、第１液Ａの注入を開始することが可能になり、第１液用容器４３の第１液４１を混合液用容器４０に注入すると、その計量が計量部１４で行われるとともに第1液注入量表示部２７に注入された第１液４１の重量が表示される（ＳＴ８）。次に、第１液４１の重量が必要量に達したとき（ＳＴ９）、第１液４１の注入終了の表示が第1液注入量表示部２７に必要量に達したことが表示される（ＳＴ１０）。これにより、第１液４１の必要量である２００ｇを混合液用容器４０に注入することができる。続いて、液選択ボタン１９をオンする（ＳＴ１１）と、第２液Ｂの注入を開始することが可能になり、第２液用容器４４の第２液４２を混合液用容器４０に注入すると、その計量が計量部１４で行われるとともに第２液注入量表示部２２に注入された第２液４２の重量が表示される（ＳＴ１２）。次に、第２液４２の重量が必要量に達したとき（ＳＴ１３）、第２液４２の注入終了の表示が第２液注入量表示部２８に必要量に達したことを表示する（ＳＴ１４）。これにより、第２液４２の必要量が混合液用容器４０に注入することができる。続いて、この第２液４２が必要量に達したことにより報知部３０のランプ３１及びブザー３２により終了が報知され（ＳＴ１５）て終了する。
【００１７】
上記構成の液剤混合装置１０では、計量機本体１１に設けた、制御部３３の制御のもとに、計量部１４により混合液用容器４０を設置し、入力部１５から混合すべき必要な混合量及び混合比率を入力し、注入される液剤を計量して混合中の混合量や混合比率を表示部２０に表示させ、必要量の達したときに報知部３０で報知することで、二液性の液剤を簡単な作業により、必要量を迅速に生成することができる。データ処理を行うためのコンピュータシステム等を収納する計量機本体１１は、矩形箱型で持ち運びが容易な大きさと重量に形成され、必要な混合量を目視しつつ注入し必要量に達したことが報知部３０で報知されるため、建設用等に使用されている塗装剤、接着剤、防水剤等の硬化時間が短く使用できる時間が限られている二液性の液剤を現場において少量ずつ混合することが可能になり、また採光の少ない建設中の屋内や夜間の暗い中でも、定められた混合比率で必要量を簡単な作業で混合することができる。
【００１８】
なお、上記実施形態において、計量機本体１１に計量部１４、入力部１５、表示部２０等が設けられていればよく、計量機本体１１の形状や大きさ、あるいは各部の機器の位置等は任意にでき、実施形態に限定されない。
【産業上の利用可能性】
【００１９】
建設用材料等として使用される二液性の液剤を混合するための液剤混合装置に利用することができる。
【図面の簡単な説明】
【００２０】
【図１】本考案実施形態の液剤混合装置の斜視図である。
【図２】本考案実施形態の液剤混合装置の制御構成を説明するブロック図である。
【図３】本考案実施形態の入力部を説明する図である。
【図４】本考案実施形態の表示部を説明する図である。
【図５】本考案実施形態の液剤混合装置の動作を説明するフローチャートである。
【符号の説明】
【００２１】
１０  液剤混合装置
１１  計量機本体
１２  平坦面
１３  傾斜面
１４  計量部
１５  入力部
１６  スタートボタン
１７  キー入力部
１８  オフセットボタン
１９  液選択ボタン
２０  表示部
２１  設定データ表示部
２２  混合量表示部
２３  容器重量表示部
２４  オフセット表示部
２５  必要混合量表示部
２６  必要混合量比率表示部
２７  第1液注入量表示部
２７ａ  表示部
２８  第２液注入量表示部
２９  混合量表示部
３０  報知部
３１  ランプ
３２  ブザー
３３  制御部
３４  記憶部
４０  混合液用容器
４１  第１液
４２  第２液
４３  第１液用容器
４４  第２液用容器
【図１】
0003119926.tif 000003
【図２】
0003119926.tif 000004
【図３】
0003119926.tif 000005
【図４】
0003119926.tif 000006
【図５】
0003119926.tif 000007